(57)【要約】【課題】  容易な構造で安全性に優れた線香着火装置を提供することにある。【解決手段】  線香の着火部分のみを挿入可能な着火部と、着火部に線香が挿入されたことを検知するセンサと、着火部に設けられ、線香の着火部分に着火する着火手段とを備え、センサが着火部に挿入されたことを検知すると、着火手段が線香の着火部分に着火することを特徴とし、また、着火部の形状が、略Ｙ字状の溝形状、格子状又は漏斗状であり、着火手段が、電弧放電又は高エネルギー光源による手段で着火することを特徴とする。【選択図】図１
2019113295.tif 000002
【特許請求の範囲】
【請求項１】
線香に着火するための線香着火装置において、
該線香の着火部分のみを挿入可能な着火部と、
該着火部に該線香が挿入されたことを検知するセンサと、
該着火部に設けられ、該線香の着火部分に着火する着火手段とを備え、
該センサが該着火部に挿入されたことを検知すると、該着火手段が該線香の着火部分に着火することを特徴とする線香着火装置。
【請求項２】
前記着火部の形状が、略Ｙ字状の溝形状、格子状又は漏斗状であることを特徴とする請求項１記載の線香着火装置。
【請求項３】
前記着火手段が、前記センサが前記着火部に挿入されたことを検知したのちに着火を試み、該検知から所定時間を経過した後に着火を停止することを特徴とする請求項１又は請求項２記載の線香点火装置。
【請求項４】
安全に着火可能な状態であることを検知する安全感知手段を備え、
該安全感知手段が安全に着火可能な状態を検知していない場合には、前記着火手段が着火できないことを特徴とする請求項１〜請求項３のいずれかに記載の線香着火装置。
【請求項５】
前記着火手段が、電弧放電又は高エネルギー光源による手段で着火することを特徴とする請求項１〜請求項４のいずれかに記載の線香着火装置。
【発明の詳細な説明】
【技術分野】
【０００１】
本発明は、線香に着火するための線香着火装置に関する。
【背景技術】
【０００２】
従来より、線香に着火するためには、ライターや蝋燭の炎で直接線香に着火することが行われてきた。しかしながら、蝋燭に火を灯す習慣の減少や、屋外でのライターでの着火が困難なことから、各種の線香着火装置が提案されている。
【０００３】
例えば、特許文献１の線香着火装置は、中空筐体内を、中央に電池正極差し込み孔を設けた電池固定板により電熱線収容室と電池収容室とに仕切り、電熱線収容室には電熱線と、この電熱線に給電するための第１の端子と第２の端子を備えた電熱線取付板を電池固定板と離隔して設け、電熱線に押し当てられた線香の押圧力により、第１の端子が電熱線収容室側に突出した電池正極と、第２の端子が電池負極側と夫々電気的に接続し、電熱線を発熱させるようになっている。
【０００４】
また、特許文献２の線香着火装置は、線香挿入口へと所定深さだけ１本の線香を挿入放置した状態において、電気ヒータへの通電操作を行うことにより、挿入放置された線香の先端部に着火するようにした線香着火装置であって、線香挿入口の筐体内側には、線香挿入口から電気ヒータの僅か手前に至るトンネル状線香通路を形成する不燃性内側部材が設け、それにより、線香挿入口に着火状態の線香が置き忘れられたことによる、線香の上方への延焼を、不燃性内側部材のトンネル状線香通路内における酸欠により消火させる構成である。
【先行技術文献】
【特許文献】
【０００５】
【特許文献１】特開２００３−１８５１３８号公報
【特許文献２】特開２０１４−１０２０６３号公報
【発明の概要】
【発明が解決しようとする課題】
【０００６】
しかしながら、従来の線香着火装置では、複雑な構成になっており、容易な構造での安全性の確保がなされていない。
【０００７】
本発明は、このような事情に鑑みてなされたもので、容易な構造で安全性に優れた線香着火装置を提供することにある。
【課題を解決するための手段】
【０００８】
請求項１記載の線香着火装置は、線香の着火部分のみを挿入可能な着火部と、着火部に線香が挿入されたことを検知するセンサと、着火部に設けられ、線香の着火部分に着火する着火手段とを備え、センサが着火部に挿入されたことを検知すると、着火手段が線香の着火部分に着火することを特徴とする。
【０００９】
請求項２記載の線香着火装置は、着火部の形状が、略Ｙ字状の溝形状、格子状又は漏斗状であることを特徴とする。
【００１０】
請求項３記載の線香着火装置は、着火手段が、センサが着火部に挿入されたことを検知したのちに着火を試み、検知から所定時間を経過した後に着火を停止することを特徴とする。
【００１１】
請求項４記載の線香着火装置は、安全に着火可能な状態であることを検知する安全感知手段を備え、安全感知手段が安全に着火可能な状態を検知していない場合には、着火手段が着火できないことを特徴とする。
【００１２】
請求項５記載の線香着火装置は、着火手段が、電弧放電又は高エネルギー光源による手段で着火することを特徴とする。
【発明の効果】
【００１３】
本願の発明によれば、センサが着火部に線香が挿入されたことを検知すると、着火手段が線香の着火部分に着火することを特徴とし、容易な構造で安全性に優れている。
【図面の簡単な説明】
【００１４】
【図１】本発明に係る線香着火装置の一例を示す斜視図である。
【図２】同線香着火装置を示す斜視図である。
【図３】同線香着火装置の着火部の形状を示す縦断面図である。
【図４】同香着火装置の着火部の形状を示す斜視断面図である。
【図５】同線香着火装置の使用方法を示す説明図である。
【発明を実施するための形態】
【００１５】
以下、本発明の形態について図面を参照しながら具体的に説明する。図１は、本発明に係る線香着火装置の一例を示す斜視図である。図２は、同線香着火装置を示す斜視図である。図３は、同線香着火装置の着火部の形状を示す縦断面図である。図４は、同香着火装置の着火部の形状を示す斜視断面図である。図５は、同線香着火装置の使用方法を示す説明図である。
【００１６】
本発明に係る線香着火装置１は、線香Ｓに着火するためのものである。線香着火装置１は、線香Ｓの着火部分のみを挿入可能な着火部２０と、着火部２０に線香Ｓが挿入されたことを検知するセンサと、着火部２０に設けられ、線香Ｓの着火部分に着火する着火手段とを備えている。
【００１７】
以下、図に示す線香着火装置１の構成及び動作を説明する。図に示す線香着火装置１の筐体１０の形状は、あくまでも一例であるが、略直方体形状である。筐体１０は、難燃性の材質が好ましく、例えば、Ｓｎ合金（スペキュラム合金）のダイキャスト等である。筐体１０の筐体上面１０ｃには、スイッチ１２と表示灯１４が設けられている。スイッチ１２及び表示灯１４の詳細は、後述するが、スイッチ１２は線香着火装置１の電源スイッチであり、表示灯１４は線香着火装置１の動作状態等を示すものである。
【００１８】
筐体１０の筐体底面１０ｂには、電池カバー１６が設けられ、電池カバー１６の内部に線香着火装置１の電源となる電池を収納可能となっている。尚、線香着火装置１の電源は、必ずしも使い切りの一次電池である必要はなく、電池自体も充電可能な二次電池でもよく、また、商用交流電源を直接用いてもよいし、電源アダプターを用いてもよいし、更にＵＳＢにより電力が供給されるような形態でもよく、電源の種類によって制約されるものではない。しかしながら、線香着火装置１を携帯したり移動式で用いる場合、各種の電池を用いることが望ましい。
【００１９】
線香着火装置１の筐体１０の筐体正面１０ａには、略Ｙ字状の溝形状の着火部２０が設けられている。着火部２０は、線香Ｓの着火させたい部分である着火部分のみを挿入可能な構造で、本実施の形態の略Ｙ字状の溝形状の他、格子状や漏斗状であってもよい。
【００２０】
着火部２０は、略Ｙ字状で、着火部上部２０ａは、筐体上面１０ｃに向かって略ハ字状に開放されている。また、着火部下部２０ｂは、細溝状で、数本の線香Ｓのみが挿入可能な幅に制限されている。着火部下部２０ｂの幅が制限されているのは、指やその他の燃えるものが挿入されることを防ぐためである。格子状や漏斗状の場合でも、同様に、幅や径を制限し、指やその他の燃えるものが挿入されることを防ぐ形状にする。
【００２１】
着火部下部２０ｂの周囲には、略Ｕ字状に電極座２２が設けられている。電極座２２の側面には、着火部下部２０ｂに線香Ｓが挿入されたことを検知するセンサ（不図示）のためのセンサ孔２６が穿設されている。センサは、線香Ｓを検知できればどのような形態のものであってもよいが、例えば光電センサである。
【００２２】
電極座２２の左右の側面に放電孔２４が穿設されている。この放電孔２４は、図示しない線香Ｓの着火部分に着火するための着火手段からの火又は放電を放出させ、線香Ｓの着火部分に到達させるためのものである。着火手段は、火でも放電等でもかわなないが、安全性を考慮すると、直接火を使用しない手段が望ましい。望ましい着火手段としては、電弧放電や高エネルギー光源による照射を用いる手段がある。
【００２３】
このような構成の線香着火装置１の使用方法・動作について説明する。尚、線香着火装置１の基本的な動作は、線香Ｓを着火部２０（着火部下部２０ｂ）に挿入すると、センサが着火部２０に挿入されたことを検知し、着火手段が線香Ｓの着火部分に着火する、というものである。
【００２４】
より具体的には、まず、スイッチ１２を押下し、線香着火装置１の電源をＯＮにする。すると、表示灯１４が点灯する。そして、線香Ｓの着火部分を、着火部２０に挿入するようにする。着火部２０に線香Ｓの着火部分を挿入する場合、いきなり着火部下部２０ｂに挿入してもよいし、まず、筐体上面１０ｃ側から着火部上部２０ａに入れて、着火部下部２０ｂ方向に線香Ｓを移動させて、線香Ｓの着火部分を着火部下部２０ｂに移動させるようにしてもよい。
【００２５】
線香Ｓの着火部分が、着火部２０の着火部下部２０ｂに挿入されると、センサがそれを検知し、着火手段が着火を行う。この場合、着火とは、例えば、着火手段が電弧放電を行い、線香Ｓの着火部分に着火を行うということである。これにより、線香Ｓは着火される。その後、着火された線香Ｓを着火部２０から抜き取るようにすればよい。線香Ｓを着火部２０から抜き取ると、センサが抜き取りを検知し、着火を停止する。
【００２６】
尚、例えば、スイッチ１２を押下して線香着火装置１を動作させても、センサが線香Ｓを検知できない場合には、所定時間経過後に線香着火装置１の動作を停止させるようにしてもよい。もちろん、センサによる線香Ｓの検知や、着火手段の動作に関わらず、スイッチ１２を改めて押下することで、線香着火装置１の動作を停止するようにしてもよい。
【００２７】
また、線香着火装置１に、安全に着火可能な状態であることを検知する安全感知手段を備えるようにし、安全感知手段が安全に着火可能な状態を検知していない場合には、着火手段が着火できないようにすることも可能である。安全感知手段としては、例えば、線香着火装置１の転倒を検知するセンサやスイッチのような手段等がある。
【００２８】
このような構成の線香着火装置１によれば、センサが着火部２０に線香Ｓが挿入されたことを検知すると、着火手段が線香Ｓの着火部分に着火する構造で、容易な構造で安全性に優れている。
【００２９】
本発明は、本発明の広義の精神と範囲を逸脱することなく、様々な実施の形態及び変形が可能とされるものである。また、上述した実施の形態は、この発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００３０】
以上のように、本発明によれば、容易な構造で安全性に優れた線香着火装置を提供することができる。
【符号の説明】
【００３１】
１・・・・・線香着火装置
１０・・・・筐体
１０ａ・・・筐体正面
１０ｂ・・・筐体底面
１０ｃ・・・筐体上面
１２・・・・スイッチ
１４・・・・表示灯
１６・・・・電池カバー
２０・・・・着火部
２０ａ・・・着火部上部
２０ｂ・・・着火部下部
２２・・・・電極座
２４・・・・放電孔
２６・・・・センサ孔
Ｓ・・・・・線香
【図１】
2019113295.tif 000003
【図２】
2019113295.tif 000004
【図３】
2019113295.tif 000005
【図４】
2019113295.tif 000006
【図５】
2019113295.tif 000007